Podtech/llm-jp-corpus-v4-ja_patent huggingface dataset:
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
アクティブマトリクス基板の製造方法において、
基板上にゲート配線となる膜パターンを形成する第１の工程と、
前記ゲート配線上にゲート絶縁膜を形成する第２の工程と、
前記ゲート絶縁膜を介して半導体層を積層する第３の工程と、
前記ゲート絶縁層の上にソース電極及びドレイン電極となる膜パターンを形成する第４の工程と、
前記ソース電極及び前記ドレイン電極上に絶縁材料を配置する第５の工程と、
前記ドレイン電極と電気的に接続する画素電極となる膜パターンを形成する第６の工程と、を有し、
前記第１の工程、前記第４の工程及び前記第６の工程の少なくとも１つの工程では、
所定の領域を区画するように無機質の材料にてバンクを形成する工程と、
前記バンクによって区画された領域に、前記膜パターンを形成するための機能液を配置する工程と、
前記バンクによって区画された領域に配置された前記機能液を乾燥させる工程とを有することを特徴とするアクティブマトリクス基板の製造方法。
【請求項２】
請求項１のアクティブマトリクス基板の製造方法において、
前記バンクに前記基板よりも高い撥液性を付与する工程を有することを特徴とするアクティブマトリクス基板の製造方法。
【請求項３】
請求項１、または請求項２に記載のアクティブマトリクス基板の製造方法において、
前記機能液を、液滴吐出法を用いて前記バンクによって区画された領域に配置することを特徴とするアクティブマトリクス基板の製造方法。
【請求項４】
請求項１から請求項３のいずれかに記載のアクティブマトリクス基板の製造方法において、
前記機能液は、導電性微粒子を含むことを特徴とするアクティブマトリクス基板の製造方法。
【請求項５】
請求項１から請求項３のいずれかに記載のアクティブマトリクス基板の製造方法において、
前記機能液には、熱処理または光処理により導電性を発現する材料が含まれることを特徴とするアクティブマトリクス基板の製造方法。
【手続補正２】
【補正対象書類名】明細書
【補正対象項目名】発明の名称
【補正方法】変更
【補正の内容】
【発明の名称】アクティブマトリクス基板の製造方法
【手続補正３】
【補正対象書類名】明細書
【補正対象項目名】０００１
【補正方法】変更
【補正の内容】
【０００１】
本発明は、アクティブマトリクス基板の製造方法に関するものである。
【手続補正４】
【補正対象書類名】明細書
【補正対象項目名】０００５
【補正方法】変更
【補正の内容】
【０００５】
本発明は、以上のような点を考慮してなされたもので、微細化や細線化が図られた膜パターンを、精度よく安定して形成することができるアクティブマトリクス基板の製造方法を提供することを目的とする。
【手続補正５】
【補正対象書類名】明細書
【補正対象項目名】０００６
【補正方法】変更
【補正の内容】
【０００６】
上記の目的を達成するために、本発明は、以下の構成を採用している。
本発明のアクティブマトリクス基板の製造方法は、アクティブマトリクス基板の製造方法において、基板上にゲート配線となる膜パターンを形成する第１の工程と、前記ゲート配線上にゲート絶縁膜を形成する第２の工程と、前記ゲート絶縁膜を介して半導体層を積層する第３の工程と、前記ゲート絶縁層の上にソース電極及びドレイン電極となる膜パターンを形成する第４の工程と、前記ソース電極及び前記ドレイン電極上に絶縁材料を配置する第５の工程と、前記ドレイン電極と電気的に接続する画素電極となる膜パターンを形成する第６の工程と、を有し、前記第１の工程、前記第４の工程及び前記第６の工程の少なくとも１つの工程では、所定の領域を区画するように無機質の材料にてバンクを形成する工程と、前記バンクによって区画された領域に、前記膜パターンを形成するための機能液を配置する工程と、前記バンクによって区画された領域に配置された前記機能液を乾燥させる工程とを有することを特徴とする。
本発明のアクティブマトリクス基板の製造方法では、バンクによって区画された領域に機能液が配置され、この機能液が乾燥することにより、基板上に膜パターンが形成される。この場合、バンクによって膜パターンの形状が規定されることから、例えば隣接するバンク間の幅を狭くするなど、バンクを適切に形成することにより、膜パターンの微細化や細線化を図ることができる。
また、本発明のアクティブマトリクス基板の製造方法では、バンクの形成材料が無機質の材料を含むことから、バンクの耐熱性が高く、しかもバンクと基板との間の熱膨張率の差が小さい。そのため、機能液の乾燥時の熱などによるバンクの劣化が抑制され、膜パターンが良好な形状で形成される。
つまり、本発明のアクティブマトリクス基板の製造方法では、微細化や細線化が図られた膜パターンを、精度よく安定して形成することができる。
【手続補正６】
【補正対象書類名】明細書
【補正対象項目名】０００７
【補正方法】変更
【補正の内容】
【０００７】
また、上記のアクティブマトリクス基板の製造方法において、前記バンクに前記基板よりも高い撥液性を付与する工程を有するとよい。
この方法によれば、バンクは機能液をはじくため、バンク間に機能液を良好に配置できる。
【手続補正７】
【補正対象書類名】明細書
【補正対象項目名】０００８
【補正方法】変更
【補正の内容】
【０００８】
また、上記のアクティブマトリクス基板の製造方法において、前記機能液を、液滴吐出法を用いて前記バンクによって区画された領域に配置するとよい。
この方法によれば、液滴吐出法を用いることにより、スピンコート法などの他の塗布技術に比べて、液体材料の消費に無駄が少なく、基板上に配置する機能液の量や位置の制御を行いやすい。
なお、隣接するバンク間の幅は液滴の直径より狭くしてもよい。この場合、液滴状の機能液は、毛管現象などによりバンク間に入り込む。これにより、吐出する液滴の直径より狭い線幅の膜パターンが形成される。
【手続補正８】
【補正対象書類名】明細書
【補正対象項目名】００１１
【補正方法】変更
【補正の内容】
【００１１】
本発明のアクティブマトリクス基板の製造方法では、形成される膜パターンの微細化や細線化が安定して図られる。そのため、高精度なデバイスを安定して製造することができる。
特に、前記膜パターンが前記基板上に設けられたＴＦＴ（膜トランジスタ）等のスイッチング素子の一部を構成する場合には、高集積化されたスイッチング素子を安定的に得ることができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正書】
【提出日】平成18年6月19日(2006.6.19)
【手続補正１】
【補正対象書類名】明細書
【補正対象項目名】００１０
【補正方法】変更
【補正の内容】
【００１０】
まず、立ち上がり介助装置１の基部フレーム部２について説明する。
８は基部枠であり、一定間隔離間させた前後方向の縦パイプ８ａ，８ａの後端部に左右方向の横パイプ８ｂを固着させて平面視において略々コ字状に構成されたものである。
前記基部枠８の縦パイプ８ａ，８ａ後端にはキャップ９，９が取付けられるとともに、該縦パイプ８ａ，８ａ下面の前方部と後方部のそれぞれに設置部材１０，１０，・・・が螺着されている。また、該縦パイプ８ａ，８ａ下面には、正面視において略々コ字状に折り曲げられたプレート１１が固着されている。このプレート１１は、プレート１１上に使用者自身の体重を掛けることで、よりいっそう基部フレーム部２を安定させるものであり、立ち上がり時の不安定感を解消させるためのものである。
なお、本実施形態では基部枠８の縦パイプ８ａ，８ａ下面にプレート１１を固着しているが、このプレート１１はプレート１１上に使用者が搭乗することで基部フレーム部２を安定させるものであり、このプレート１１の固定方法は特に限定するものでなく、例えば、図示してはいないがボルト等を使用して固定する方法や、あるいは、プレート１１にフックを取付け、縦パイプ８ａ，８ａ上方から引掛けるようにして固定するようにしても良い。また、図示してはいないがプレート１１上には、使用者が足を滑らさないように滑り止めの部材としてゴムシートもしくは表面が梨地状に滑り止め加工したシートを貼り付けても良い。
【手続補正２】
【補正対象書類名】明細書
【補正対象項目名】００１８
【補正方法】変更
【補正の内容】
【００１８】
なお、本実施形態において球体軸受２３，２３を採用しているのは、使用者が誤って足を引掛けたりする部位を極力減らすためと、転倒した際に、切傷等の大きな怪我とならないようにするためであり、折畳み手段３，３の機能を実現するためには、筒形状等をした軸受体（図示省略）でも良い。また、支柱部材４，４の回動軸２４，２４にネジ部材２５，２５を接当させて支柱部材４，４を固定するようにしているが、図示してはいないが球体軸受２３，２３と支柱部材４，４に備えた回動軸２４，２４をボルト等にて固定するようにしても良い。
【手続補正３】
【補正対象書類名】明細書
【補正対象項目名】００２４
【補正方法】変更
【補正の内容】
【００２４】
また、この立ち上がり介助装置１をしない場合には、折畳み手段３，３または折畳み手段２７，２７のネジ部材２５，２５を弛め、支柱部材４，４の回動軸２４，２４から、ネジ部材２５，２５の先端を外すと、支柱部４，４と把持部材６，６が前後方向に回動可能な状態となる。そして、支柱部材４，４及び把持部材６，６を後方へ回動させると、支柱部材４，４と把持部材６，６が回動軸２４，２４を中心に基部フレーム部２上へ向かって折畳まれながら、支柱部材４，４軸心を中心に回動軸２４，２４に対して捩じられるように回動され、左右一対の把持部材６，６が基部フレーム部２上で重なり合うように、基部フレーム部２と支柱部材４，４と把持部材６，６は略々平行な状態に折畳まれ、立ち上がり介助装置１を簡便にコンパクトにできる。したがって、ネジ部材２５，２５を弛め、支柱部材４，４及び把持部材６，６を後方に向かって回動させるだけの簡便な操作で、基部フレーム部２と支柱部材４，４と把持部材６，６は略々平行な状態に、支柱部材４，４及び把持部材６，６を折畳むことができる。
これにより、収納スペースを削減でき、例えば、ベッドＢ下部等に収納することができる。また、立ち上がり介助装置１を構成部材ごとに分解する必要がないので、構成部材を紛失する恐れがない。
【手続補正４】
【補正対象書類名】明細書
【補正対象項目名】符号の説明
【補正方法】変更
【補正の内容】
【符号の説明】
１，２８  立ち上がり介助装置
２    基部フレーム部
３，２７  折畳み手段
４    支柱部材
６    把持部材
２４  回動軸
Ｂ    ベッド
Ｆ    フレーム
Ｓ    凹部空間
【手続補正書】
【提出日】平成18年6月19日(2006.6.19)
【手続補正１】
【補正対象書類名】明細書
【補正対象項目名】００１１
【補正方法】変更
【補正の内容】
【００１１】
そして、前側の支持パイプ６と枠パイプ４の前側垂直部４ａの適所には、同一直線上を軸心とする空孔軸受部６ａ，４ｂが設けられている。この空孔軸受部６ａ，４ｂには回動把持部３が軸承される。
【手続補正２】
【補正対象書類名】明細書
【補正対象項目名】００１４
【補正方法】変更
【補正の内容】
【００１４】
次に第４図に基づいて、上記の構成によるサイドレール１の使用方法について説明する。
このサイドレール１は、第４図（ａ）図に示すように、ベッドＢの両側部に具備されているサイドレール取付孔Ｈ，Ｈ，・・・に挿嵌して使用する。なお、サイドレール１の固定軸５，５に雌ネジ部（図示省略）を螺刻し、前記サイドレール取付孔Ｈ，Ｈ，・・・に挿嵌後ネジ部材（図示省略）を螺着することによって、サイドレール１を強固に固定することも可能である。
また、第４図（ａ）図に示すように、このサイドレール１はベッドＢの縦方向に対して比較的広い範囲（第５図に示すように使用者ＭがベッドＢ上で仰臥した姿勢で側面視において、肩部から膝部までの範囲）の落下防止として機能している。このように少なくとも、使用者Ｍの肩部から膝部までの範囲で落下防止できる固定柵部２であれば、少なくとも使用者Ｍ自身の落下を防止することが
できるサイドレール１とすることができる。
【手続補正３】
【補正対象書類名】明細書
【補正対象項目名】００１６
【補正方法】変更
【補正の内容】
【００１６】
そして、図示しないベッドＢの背上げ機構による背上げが完了すれば、足受部は第４図（ｃ）のように腰受部下方に収納される状態となり、あるいは腰受部先端を回動の基端として下方回動させることによって、側面視に置いて椅子に腰掛けた上体とすることが可能である。このときに、サイドレール１の回動把持部３が使用者Ｍの膝部近傍に位置しているので、比較的低い位置で回動把持部３を握ることが可能となり、着座姿勢から前方へ倒れこむような動き（第６図中符号イ→ロ→ハ→ニ参照）をすると回動把持部３を握っている使用者Ｍの手が見た目上の回動の基端となっており、あまり上下に身体を移動させること無く、前方方向への重心の移動のみで臀部を上げ、立ち上がることができ、使用者Ｍにあまり負担をかけることなく楽に立ち上がることができる。
【手続補正書】
【提出日】平成18年3月15日(2006.3.15)
【手続補正１】
【補正対象書類名】明細書
【補正対象項目名】請求項１
【補正方法】変更
【補正の内容】
【請求項１】  遠心分離機本体と、
該遠心分離機本体に設けられたモータと、
該モータに駆動連結された駆動軸と、
複数種類用意され、該複数種類のうちの一種類が選択されて該駆動軸に載置され、試料が注入された容器を支持し、該モータの駆動により回転するロータと、
該ロータの温度を所望の温度に調整する温度調整手段と、
該駆動軸に載置される該複数種類のロータにそれぞれ応じた該ロータの温度制御に用いられる温度制御情報を保持する温度制御情報保持手段と、
所望の遠心分離条件を入力可能な入力手段と、
該駆動軸に載置された該ロータの種類を識別し又は該入力手段から入力された該ロータの種類を識別して、該ロータの種類に応じた該温度制御情報を選択するロータ識別手段と、
該ロータ識別手段により選択された該温度制御情報を用いて該所望の遠心分離条件どおりの遠心分離を行うように該モータを駆動制御し該温度調整手段を制御する制御手段とを備える遠心分離機において、
該入力手段は、少なくとも温度制御情報を入力可能であり、該遠心分離機本体は、入力された該温度制御情報を記憶するための温度制御情報記憶手段を備え、該制御手段は、該温度制御情報記憶手段に記憶された該温度制御情報を用いて該温度調整手段を制御することを特徴とする遠心分離機。
【手続補正２】
【補正対象書類名】明細書
【補正対象項目名】０００７
【補正方法】変更
【補正の内容】
【０００７】
ロータの温度と温度センサの温度との間の温度差は、ロータの形状や回転速度、遠心室の形状、温度センサ、冷却パイプの位置等に依存する所定の値となる。従って、一種類の遠心分離機に限れば、ロータの形状と回転速度だけで一意的に定まる。このため遠心分離機では、ロータの実際の温度の推測値を求めるために、ロータの形状と回転数により定まる温度差のグラフのデータを用いてロータの温度制御を行う。このデータが温度制御情報である。
【手続補正３】
【補正対象書類名】明細書
【補正対象項目名】００１７
【補正方法】変更
【補正の内容】
【００１７】
【課題を解決するための手段】
上記目的を達成するために、本発明は、遠心分離機本体と、該遠心分離機本体に設けられたモータと、該モータに駆動連結された駆動軸と、複数種類用意され、該複数種類のうちの一種類が選択されて該駆動軸に載置され、試料が注入された容器を支持し、該モータの駆動により回転するロータと、該ロータの温度を所望の温度に調整する温度調整手段と、該駆動軸に載置される該複数種類のロータにそれぞれ応じた該ロータの温度制御に用いられる温度制御情報を保持する温度制御情報保持手段と、所望の遠心分離条件を入力可能な入力手段と、該駆動軸に載置された該ロータの種類を識別し又は該入力手段から入力された該ロータの種類を識別して、該ロータの種類に応じた該温度制御情報を選択するロータ識別手段と、該ロータ識別手段により選択された該温度制御情報を用いて該所望の遠心分離条件どおりの遠心分離を行うように該モータを駆動制御し該温度調整手段を制御する制御手段とを備える遠心分離機において、該入力手段は、少なくとも温度制御情報を入力可能であり、該遠心分離機本体は、入力された該温度制御情報を記憶するための温度制御情報記憶手段を備え、該制御手段は、該温度制御情報記憶手段に記憶された該温度制御情報を用いて該温度調整手段を制御する遠心分離機を提供している。
【手続補正４】
【補正対象書類名】明細書
【補正対象項目名】００２２
【補正方法】変更
【補正の内容】
【００２２】
ボウル１８の底部の中央の位置には開口１８ａが形成されている。駆動軸１２は、駆動装置１１を構成する図示せぬモータに駆動連結されており、開口１８ａから鉛直上方に指向して突出する。ロータ１６は、駆動軸１２と一体回転可能に駆動軸１２に載置されている。ロータ１６は、図示せぬモータの駆動により、試料１６Ｂが注入された遠心培養管等の容器１６Ａを支持した状態で回転し、容器１６Ａ内の試料１６Ｂが遠心分離されるように構成されている。
【手続補正５】
【補正対象書類名】明細書
【補正対象項目名】００３８
【補正方法】変更
【補正の内容】
【００３８】
【発明の効果】
請求項１乃至７記載の遠心分離機によれば、入力手段は、少なくとも温度制御情報を入力可能であり、遠心分離機本体は、入力された温度制御情報を記憶するための温度制御情報記憶手段を備え、制御手段は、温度制御情報記憶手段に記憶された温度制御情報を用いて温度調整手段を制御するようにしたため、新たにロータが開発され、当該ロータを遠心分離機で用いて遠心分離しようとする等の場合に、入力手段から温度制御情報を入力するという簡単な操作を行うだけで、当該ロータに対応した最適なロータの温度制御を行いながら遠心分離を行うことができる。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
遊技に関するルールの表示と遊技に関連して遊技者が被り得るリスクを択一的に又は同時に表示し、該表示された前記ルール及び／又は前記リスクを確認した上で遊技を行うことに同意を求めるための表示（以下、これらを「意思確認情報」と総称。）を行う情報表示手段と、
前記同意の意思表示として遊技者によって操作される同意入力手段と、
遊技が可能な状態時において、遊技者が不在と判断される状態が設定時間に達すると遊技を不可能状態にし、表示される前記意思確認情報に対応して前記同意入力手段が操作されて前記同意を示す入力がなされると前記意思確認情報の表示を終了させて遊技を可能にする遊技可否制御手段とを備える
ことを特徴とする弾球遊技機。
【請求項２】
遊技に関するルールの表示と遊技に関連して遊技者が被り得るリスクを択一的に又は同時に表示し、該表示された前記ルール及び／又は前記リスクを確認した上で遊技を行うことに同意を求めるための表示（以下、これらを「意思確認情報」と総称。）を行う情報表示手段と、
前記同意の意思表示として遊技者によって操作される同意入力手段と、
遊技が可能な状態時において、遊技者が不在と判断される状態が設定時間に達すると遊技を不可能状態にし、表示される前記意思確認情報に対応して前記同意入力手段が操作されて前記同意を示す入力がなされると前記意思確認情報の表示を終了させて遊技を可能にする遊技可否制御手段とを備え、
前記遊技可否制御手段となる制御回路を遊技盤以外の枠装置に装備した
ことを特徴とする弾球遊技機。
【請求項３】
当たり外れを図柄で表示する図柄表示装置であり、遊技に関するルールと遊技に関連して遊技者が被り得るリスクを択一的に又は同時に表示し、該表示された前記ルール及び／又は前記リスクを確認した上で遊技を行うことに同意を求めるための表示（以下、これらを「意思確認情報」と総称。）を行う図柄表示装置と、
前記同意の意思表示として遊技者によって操作される同意入力手段と、
遊技機の電源投入後及び遊技が可能な状態時において、遊技者が不在と判断される状態が設定時間に達すると遊技を不可能状態にし、表示される前記意思確認情報に対応して前記同意入力手段が操作されて前記同意を示す入力がなされると前記意思確認情報の表示を終了させて遊技を可能にする遊技可否制御手段とを備え、
前記遊技可否制御手段によって一旦遊技可能にされた後は、前記図柄表示装置は、図柄始動信号に起因する表示である図柄画面及び前記図柄始動信号の入力待ち状態の表示であるデモ画面のいずれからでも、前記意思確認情報を表示する意思確認画面に切り替わり可能である
ことを特徴とする弾球遊技機。
【請求項４】
請求項３記載の弾球遊技機において、
前記図柄表示装置によって表示される当たり外れの判定で当たりとなる確率が通常よりも高確率の状態では、前記図柄表示装置は、前記図柄画面からも前記デモ画面からも前記意思確認画面に切り替わらない
ことを特徴とする弾球遊技機。
【請求項５】
請求項３記載の弾球遊技機において、
前記図柄表示装置は、
意思確認画面が設定時間以上継続すると前記図柄画面又はデモ画面のいずれかに切り替わり、
前記遊技が不可能な状態且つ前記図柄画面又は前記デモ画面が表示されている状態のときに、発射ハンドルに設けられたタッチスイッチがオンになると前記意思確認画面に切り替わる
ことを特徴とする弾球遊技機。
【手続補正２】
【補正対象書類名】明細書
【補正対象項目名】００１８
【補正方法】変更
【補正の内容】
【００１８】
上記課題を解決するための請求項１記載の弾球遊技機は、
遊技に関するルールの表示と遊技に関連して遊技者が被り得るリスクを択一的に又は同時に表示し、該表示された前記ルール及び／又は前記リスクを確認した上で遊技を行うことに同意を求めるための表示（以下、これらを「意思確認情報」と総称。）を行う情報表示手段と、
前記同意の意思表示として遊技者によって操作される同意入力手段と、
遊技が可能な状態時において、遊技者が不在と判断される状態が設定時間に達すると遊技を不可能状態にし、表示される前記意思確認情報に対応して前記同意入力手段が操作されて前記同意を示す入力がなされると前記意思確認情報の表示を終了させて遊技を可能にする遊技可否制御手段とを備える
ことを特徴とする。
【手続補正３】
【補正対象書類名】明細書
【補正対象項目名】００１９
【補正方法】変更
【補正の内容】
【００１９】
また、請求項２記載の弾球遊技機は、
遊技に関するルールの表示と遊技に関連して遊技者が被り得るリスクを択一的に又は同時に表示し、該表示された前記ルール及び／又は前記リスクを確認した上で遊技を行うことに同意を求めるための表示（以下、これらを「意思確認情報」と総称。）を行う情報表示手段と、
前記同意の意思表示として遊技者によって操作される同意入力手段と、
遊技が可能な状態時において、遊技者が不在と判断される状態が設定時間に達すると遊技を不可能状態にし、表示される前記意思確認情報に対応して前記同意入力手段が操作されて前記同意を示す入力がなされると前記意思確認情報の表示を終了させて遊技を可能にする遊技可否制御手段とを備え、
前記遊技可否制御手段となる制御回路を遊技盤以外の枠装置に装備した
ことを特徴とする。
【手続補正４】
【補正対象書類名】明細書
【補正対象項目名】００２０
【補正方法】変更
【補正の内容】
【００２０】
そして、請求項３記載の弾球遊技機は、
当たり外れを図柄で表示する図柄表示装置であり、遊技に関するルールと遊技に関連して遊技者が被り得るリスクを択一的に又は同時に表示し、該表示された前記ルール及び／又は前記リスクを確認した上で遊技を行うことに同意を求めるための表示（以下、これらを「意思確認情報」と総称。）を行う図柄表示装置と、
前記同意の意思表示として遊技者によって操作される同意入力手段と、
遊技機の電源投入後及び遊技が可能な状態時において、遊技者が不在と判断される状態が設定時間に達すると遊技を不可能状態にし、表示される前記意思確認情報に対応して前記同意入力手段が操作されて前記同意を示す入力がなされると前記意思確認情報の表示を終了させて遊技を可能にする遊技可否制御手段とを備え、
前記遊技可否制御手段によって一旦遊技可能にされた後は、前記図柄表示装置は、図柄始動信号に起因する表示である図柄画面及び前記図柄始動信号の入力待ち状態の表示であるデモ画面のいずれからでも、前記意思確認情報を表示する意思確認画面に切り替わり可能である
ことを特徴とする。
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
被検体が配置される計測空間内に静磁場を与える静磁場発生手段と、前記静磁場の不均一を補正するシムコイルと、Ｘ ，Ｙ，Ｚの３軸方向に傾斜磁場を発生する傾斜磁場コイルと、前記被検体内の水素原子核であるプロトンに核磁気共鳴を起こさせるための高周波磁場を照射するＲＦコイルを有する送信手段と、核磁気共鳴により放出される核磁気共鳴信号を検出する受信手段と、受信した前記核磁気共鳴信号を用いて画像再構成演算を行う信号処理手段と、前記核磁気共鳴信号を計測するパルスシーケンスを制御するパルスシーケンス制御手段とを備える磁気共鳴イメージング装置において、
前記傾斜磁場コイルは、前記シムコイルの前記計測空間側に配置され、
前記シムコイルは、前記高周波磁場の遮蔽部材を有することを特徴とする磁気共鳴イメージング装置。
【手続補正２】
【補正対象書類名】明細書
【補正対象項目名】００１０
【補正方法】変更
【補正の内容】
【００１０】
前記課題を解決するために、本発明は以下の様に構成される。
被検体が配置される計測空間内に静磁場を与える静磁場発生手段と、前記静磁場の不均一を補正するシムコイルと、X，Y，Zの3軸方向に傾斜磁場を発生する傾斜磁場コイルと、前記被検体内の水素原子核であるプロトンに核磁気共鳴を起こさせるための高周波磁場を照射するRFコイルを有する送信手段と、核磁気共鳴により放出される核磁気共鳴信号を検出する受信手段と、受信した前記核磁気共鳴信号を用いて画像再構成演算を行う信号処理手段と、前記核磁気共鳴信号を計測するパルスシーケンスを制御するパルスシーケンス制御手段とを備える磁気共鳴イメージング装置において、
前記傾斜磁場コイルは、前記シムコイルの前記計測空間側に配置され、
前記シムコイルは、前記高周波磁場の遮蔽部材を有することを特徴とする磁気共鳴イメージング装置。
【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】    【請求項１】  遺伝子増幅試薬の安定化方法であって、遺伝子増幅反応に使用するキメラオリゴヌクレオチドプライマーと相補的な塩基配列を有するオリゴヌクレオチドを少なくとも一つ、遺伝子増幅反応液中に共存させることを特徴とする方法であって、当該オリゴヌクレオチドがＤＮＡ又はＲＮＡオリゴヌクレオチド、あるいはＤＮＡ−ＲＮＡキメラオリゴヌクレオチドから選択され、かつ当該オリゴヌクレオチドと前記キメラオリゴヌクレオチドプライマーの間のＴｍ値に対する、前記キメラオリゴヌクレオチドプライマーと該プライマーの塩基配列と相補的な標的遺伝子の核酸配列との間のＴｍ値の比が、１．２〜３．３の範囲であり、さらに当該オリゴヌクレオチドの３’末端が伸長できないようにブロックされたオリゴヌクレオチドであることを特徴とする方法。    【請求項２】  請求項１記載の方法のための増幅試薬ミクスチャーであって、（１）キメラオリゴヌクレオチドプライマー、（２）（１）のキメラオリゴヌクレオチドプライマーと相補的な塩基配列を有するオリゴヌクレオチドであって、当該オリゴヌクレオチドと前記キメラオリゴヌクレオチドプライマーの間のＴｍ値に対する、前記キメラオリゴヌクレオチドプライマーと該プライマーの塩基配列と相補的な標的遺伝子の核酸配列との間のＴｍ値の比が、１．２〜３．３の範囲であり、さらに当該オリゴヌクレオチドの３’末端が伸長できないようにブロックされたオリゴヌクレオチド、（３）鎖置換活性を有するＤＮＡポリメラーゼ（４）ＲＮａｓｅＨ、及び（５）反応緩衝液（６）ｄＮＴＰｓからなることを特徴とするミクスチャー。
【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  複数の図柄列が変動表示される表示手段を備え、前記複数の図柄列の停止時の組合せが予め定めた大当り図柄の組合わせとなる大当り条件の成立に基づいて遊技者にとって有利な大当り遊技状態が発生するように構成された遊技機であって、
前記大当り条件が成立した場合に、前記大当り遊技状態の発生に関連して前記表示手段にて大当り演出を実行する大当り演出制御手段、
を備え、
前記大当り演出制御手段は、所定の条件の成立に基づいて、遊技者によって撮影される撮影対象画像を前記大当り演出において前記表示手段にて表示させることを特徴とする遊技機。
【請求項２】  所定の抽選を実行する抽選手段、
を備え、
前記大当り演出制御手段は、前記抽選手段による所定の抽選にて当選したことに基づいて、前記撮影対象画像の表示を行うことを特徴とする請求項１に記載の遊技機。
【請求項３】  前記抽選手段は、前記大当り条件の抽選を行うものであり、
前記大当り演出制御手段は、前記抽選手段による抽選において特定の条件で前記大当り条件が当選したことに基づいて、前記撮影対象画像の表示を行うことを特徴とする請求項２に記載の遊技機。
【請求項４】  前記表示手段に変動表示される複数の図柄列のうち、１つを除く他の図柄列の停止時の組合せが前記大当り図柄の組合せとなるリーチ条件が成立した場合に、前記表示手段にてリーチ演出を実行するリーチ演出制御手段、
を備え、
前記リーチ演出制御手段は、特定のリーチ条件が成立した場合に特定のリーチ演出を実行し、
前記大当り演出制御手段は、特定のリーチ条件が成立しさらに前記大当り条件が成立した場合に、前記撮影対象画像の表示を行うことを特徴とする請求項１乃至３のいずれかに記載の遊技機。
【請求項５】  前記大当り演出制御手段は、前記大当り演出の一態様として前記大当り遊技状態の開始直前に大当り開始演出を実行するものであり、前記所定の条件の成立に基づいて、前記大当り開始演出において前記撮影対象画像の表示を行うことを特徴とする請求項１乃至４のいずれかに記載の遊技機。
【請求項６】  前記大当り演出制御手段は、前記大当り演出の一態様として前記大当り遊技状態の継続中に大当り継続演出を実行するものであり、前記所定の条件の成立に基づいて、前記大当り継続演出において前記撮影対象画像の表示を行うことを特徴とする請求項１乃至５のいずれかに記載の遊技機。
【請求項７】  前記大当り演出制御手段は、前記大当り演出の一態様として前記大当り遊技状態の終了直後に大当り終了演出を実行するものであり、前記所定の条件の成立に基づいて、前記大当り終了演出において前記撮影対象画像の表示を行うことを特徴とする請求項１乃至６のいずれかに記載の遊技機。
【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】
被検体に静磁場および傾斜磁場を与える磁場発生系と、被検体に高周波磁場を照射する送信系と、核磁気共鳴信号を検出する受信系と、この受信系で検出された核磁気共鳴信号を用いて画像再構成演算をおこなう信号処理系と、装置全体の動作を制御する動作制御部と、動作制御部から供給される指令及びシーケンスに従って上記磁場発生系、送信系、受信系に動作指令信号を供給するシーケンサとを有する磁気共鳴イメージング装置において、
上記シーケンサは、
上記動作制御部から供給される複数のシーケンスデータと、複数のシーケンスの実行順と、各シーケンスに用いるシーケンスデータを示すデータとを記憶する複数シーケンス記憶部と、
上記複数シーケンス記憶部に記憶されたシーケンスを記憶された実行順序に従って、実行する指令信号を生成するシーケンスコントローラと、を備えることを特徴とする磁気共鳴イメージング装置。
【請求項２】
請求項１記載の磁気共鳴イメージング装置において、上記複数シーケンス記憶部は、複数のシーケンスデータを記憶するシーケンスデータテーブルと、所定の番号が付けられた複数のインデックスデータを記憶するインデックステーブルとを備え、１つのインデックスデータには、実行すべきシーケンスデータが記憶されているアドレス及び次に参照すべきインデックス番号又は終了指示が記憶され、上記シーケンスコントローラは、所定の番号のインデックスデータから、処理を開始し、インデックスデータに記憶されたアドレスに記憶されたシーケンスデータ又は終了指示に従って処理を終了することを特徴とする磁気共鳴イメージング装置。
【請求項３】
請求項２記載の磁気共鳴イメージング装置において、シーケンスコントローラの動作中に、上記動作制御部により、インデックスデータの次に参照すべきインデックス番号が書き換えられることにより、上記シーケンスコントローラは、書き換えられたインデックス番号を参照することを特徴とする磁気共鳴イメージング装置。
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】
対象者の尿排出部又は便排出部から排出される尿又は便を検知するための排尿・排便検知部と、
対象者の少なくとも尿排出部又は便排出部を、そこから排出される尿又は便が外部に出ないように覆うためのカバーと、
前記カバー内の尿又は便を吸引できるように前記カバーと接続されたタンクと、
前記カバー内の尿又は便を前記タンクに吸引するための吸引部と、
前記排尿・排便検知部からの信号に基づいて前記吸引部を制御するための吸引制御部と、
を備えた排尿・排便自動処理装置において、
前記排尿・排便検知部は、
対象者の尿排出部若しくは便排出部又はそれらの周辺に対向する位置に配置された赤外線カメラであって、前記尿排出部若しくは便排出部又はそれらの周辺の赤外線画像を取得するための赤外線カメラと、
前記赤外線カメラにより取得された画像情報に基づいて、「対象者の身体表面温度と比較してそれよりも所定温度以上高い温度を有する物体などの、対象者の尿排出部若しくは便排出部又はそれらの周辺の身体表面以外の熱源である物体」が前記尿排出部若しくは便排出部又はそれらの周辺に存在しているとき、排尿又は排便が開始されたと判定する判定手段と、を備えている、ことを特徴とする排尿・排便自動処理装置。
【請求項２】
対象者の尿排出部又は便排出部から排出される尿又は便を検知するための排尿・排便検知部と、
対象者の少なくとも尿排出部又は便排出部を、そこから排出される尿又は便が外部に出ないように覆うためのカバーと、
前記カバー内の尿又は便を吸引できるように前記カバーと接続されたタンクと、
前記カバー内の尿又は便を前記タンクに吸引するための吸引部と、
前記排尿・排便検知部からの信号に基づいて前記吸引部を制御するための吸引制御部と、
を備えた排尿・排便自動処理装置において、
前記排尿・排便検知部は、
対象者の尿排出部若しくは便排出部又はそれらの周辺に対向する位置に配置された可視光カメラであって、前記尿排出部若しくは便排出部又はそれらの周辺の画像を取得するための可視光カメラと、
対象者の尿排出部又は便排出部の近傍に配置された光源と、
前記可視光カメラにより取得された画像情報に基づいて、所定の色彩又は形状の物体が対象者の尿排出部若しくは便排出部又はそれらの周辺に存在しているとき、排尿又は排便が開始されたと判定する判定手段と、を備えている、ことを特徴とする排尿・排便自動処理装置。
【請求項３】
対象者の尿排出部又は便排出部から排出される尿又は便を検知するための排尿・排便検知部と、
対象者の少なくとも尿排出部又は便排出部を、そこから排出される尿又は便が外部に出ないように覆うためのカバーと、
前記カバー内の尿又は便を吸引できるように前記カバーと接続されたタンクと、
前記カバー内の尿又は便を前記タンクに吸引するための吸引部と、
前記排尿・排便検知部からの信号に基づいて前記吸引部を制御するための吸引制御部と、
を備えた排尿・排便自動処理装置において、
前記排尿・排便検知部は、
対象者の尿排出部若しくは便排出部又はそれらの周辺に対向する位置に配置された赤外線センサであって、前記尿排出部若しくは便排出部又はそれらの周辺から発せられる赤外線を検出するための赤外線センサと、
前記赤外線センサを前記尿排出部若しくは便排出部又はそれらの周辺に向けてスキャンさせるためのスキャン機構と、
前記赤外線センサにより検出された情報に基づいて、「対象者の身体表面温度と比較してそれよりも所定温度以上高い温度を有する物体などの、対象者の尿排出部若しくは便排出部又はそれらの周辺の身体表面以外の熱源である物体」が前記尿排出部若しくは便排出部又はそれらの周辺に存在しているとき、排尿又は排便が開始されたと判定する判定手段と、を備えている、ことを特徴とする排尿・排便自動処理装置。
【請求項４】
対象者の尿排出部又は便排出部から排出される尿又は便を検知するための排尿・排便検知部と、
対象者の少なくとも尿排出部又は便排出部を、そこから排出される尿又は便が外部に出ないように覆うためのカバーと、
前記カバー内の尿又は便を吸引できるように前記カバーと接続されたタンクと、
前記カバー内の尿又は便を前記タンクに吸引するための吸引部と、
前記排尿・排便検知部からの信号に基づいて前記吸引部を制御するための吸引制御部と、
を備えた排尿・排便自動処理装置において、
前記排尿・排便検知部は、
対象者の尿排出部若しくは便排出部又はそれらの周辺に対向する位置に配置され、赤外線レーザーや可視光レーザーなどのスポット光又は指向性のある電波や超音波を周囲にスキャンしながら照射するための発信部と、
前記発信部から照射されたスポット光又は指向性のある電波や超音波の前記尿排出部若しくは便排出部又はそれらの周辺からの反射波を受信するための受信部と、
前記受信部により受信された情報に基づいて、所定の温度、色彩、又は形状の物体が対象者の尿排出部若しくは便排出部又はそれらの周辺に存在しているとき、排尿又は排便が開始されたと判定する判定手段と、を備えている、ことを特徴とする排尿・排便自動処理装置。
【請求項５】  請求項１から４までのいずれかにおいて、
前記カバーの身体表面側に形成され又は取り付けられている密着部であって、通常は「対象者の、尿排出部若しくは便排出部又はそれらの周辺の身体表面」から離れた位置に配置されている密着部と、
前記対象者の排尿又は排便が開始されたとき、前記密着部を前記身体表面に密着させるための密着駆動部と、
前記排尿・排便検知部からの信号に基づいて前記密着駆動部を制御するための密着制御部と、を備えていることを特徴とする排尿・排便自動処理装置。
【請求項６】  請求項１又は２において、
前記排尿・排便検知部により取得された画像情報を、前記カバーの外部に配置されている画像記録部に無線又は有線により送信するための送信手段、を備えたことを特徴とする排尿・排便自動処理装置。
【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】
Ｘ線を電気信号に変換する複数の素子で構成されるＸ線検出器と、
電荷の蓄積状態と電荷の吐き出し状態とを前記複数の素子が繰り返すように、前記Ｘ線検出器を制御する制御手段と、
前記電荷の蓄積状態になったタイミングを撮影者に知らせる報知手段と、を備えることを特徴とするＸ線撮影装置。
【請求項２】
Ｘ線の照射開始及び照射終了を検知するＸ線照射検知手段を更に備え、
前記制御手段は、前記Ｘ線照射検知手段の検知信号によって前記Ｘ線検出器の駆動を制御することを特徴とする請求項１に記載のＸ線撮影装置。
【請求項３】
前記Ｘ線検出器の内部に非破壊での読み出し手段を備え、
前記Ｘ線照射検知手段は、前記非破壊で読み出した画像データによってＸ線の照射開始及び照射終了を検知することを特徴とする請求項２に記載のＸ線撮影装置。
【請求項４】
前記Ｘ線照射検知手段により前記Ｘ線検出器の電荷の蓄積状態における蓄積時間を検出し、検出された蓄積時間を暗電流による蓄積電荷の補正データを取得するための蓄積時間とすることを特徴とする請求項２又は３に記載のＸ線撮影装置。
【請求項５】
前記報知手段は無線通信手段を介して音を発生させることを特徴とする請求項１に記載のＸ線撮影装置。
【請求項６】
前記報知手段は無線通信手段を介して振動を発生させることを特徴とする請求項１に記載のＸ線撮影装置。
【請求項７】
前記報知手段は有線通信手段を介して音又は振動を発生させることを特徴とする請求項１に記載のＸ線撮影装置。
【請求項８】
前記制御手段は、前記Ｘ線照射検知手段によりＸ線の照射終了を検知した場合、前記Ｘ線検出器の駆動を終了することを特徴とする請求項２又は３に記載のＸ線撮影装置。
【請求項９】
Ｘ線を電気信号に変換する複数の素子で構成されるＸ線検出器を備えるＸ線撮影装置のＸ線撮影方法であって、
電荷の蓄積状態と電荷の吐き出し状態とを前記複数の素子が繰り返すように、前記Ｘ線検出器を制御する工程と、
前記電荷の蓄積状態になったタイミングを撮影者に知らせる報知工程と、
前記報知手段の報知に応じてX線を前記Ｘ線検出器に向けて照射する工程と、を備えることを特徴とするＸ線撮影方法。
【手続補正２】
【補正対象書類名】明細書
【補正対象項目名】００１３
【補正方法】変更
【補正の内容】
【００１３】
【課題を解決するための手段】
上述の課題を解決し、目的を達成するために、本発明のＸ線撮影装置は、Ｘ線を電気信号に変換する複数の素子で構成されるＸ線検出器と、電荷の蓄積状態と電荷の吐き出し状態とを前記複数の素子が繰り返すように、前記Ｘ線検出器を制御する制御手段と、前記電荷の蓄積状態になったタイミングを撮影者に知らせる報知手段と、を備える。
【手続補正３】
【補正対象書類名】明細書
【補正対象項目名】００１４
【補正方法】変更
【補正の内容】
【００１４】
本発明のＸ線撮影方法は、Ｘ線を電気信号に変換する複数の素子で構成されるＸ線検出器を備えるＸ線撮影装置のＸ線撮影方法であって、電荷の蓄積状態と電荷の吐き出し状態とを前記複数の素子が繰り返すように、前記Ｘ線検出器を制御する工程と、前記電荷の蓄積状態になったタイミングを撮影者に知らせる報知工程と、前記報知手段の報知に応じてX線を前記Ｘ線検出器に向けて照射する工程と、を備える。
【手続補正４】
【補正対象書類名】明細書
【補正対象項目名】０１２３
【補正方法】変更
【補正の内容】
【０１２３】
【発明の効果】
以上説明したように、本発明によれば、撮影者はＸ線検出器が蓄積状態になったタイミングを見計らいながらＸ線を照射できるので、Ｘ線検出器とＸ線発生装置の同期を取る必要がなくなる。
【手続補正５】
【補正対象書類名】明細書
【補正対象項目名】０１２４
【補正方法】削除
【補正の内容】
【手続補正６】
【補正対象書類名】明細書
【補正対象項目名】０１２５
【補正方法】削除
【補正の内容】
【手続補正７】
【補正対象書類名】明細書
【補正対象項目名】０１２６
【補正方法】削除
【補正の内容】
【手続補正８】
【補正対象書類名】明細書
【補正対象項目名】０１２７
【補正方法】削除
【補正の内容】
【手続補正９】
【補正対象書類名】明細書
【補正対象項目名】０１２８
【補正方法】削除
【補正の内容】
【手続補正１０】
【補正対象書類名】明細書
【補正対象項目名】０１２９
【補正方法】削除
【補正の内容】
【手続補正１１】
【補正対象書類名】明細書
【補正対象項目名】０１３０
【補正方法】削除
【補正の内容】
【手続補正１２】
【補正対象書類名】明細書
【補正対象項目名】０１３１
【補正方法】削除
【補正の内容】
【手続補正１３】
【補正対象書類名】明細書
【補正対象項目名】０１３２
【補正方法】削除
【補正の内容】
【手続補正１４】
【補正対象書類名】明細書
【補正対象項目名】０１３３
【補正方法】削除
【補正の内容】
【手続補正１５】
【補正対象書類名】明細書
【補正対象項目名】０１３４
【補正方法】削除
【補正の内容】
【手続補正１６】
【補正対象書類名】明細書
【補正対象項目名】０１３５
【補正方法】削除
【補正の内容】
【手続補正１７】
【補正対象書類名】明細書
【補正対象項目名】０１３６
【補正方法】削除
【補正の内容】
【手続補正１８】
【補正対象書類名】明細書
【補正対象項目名】０１３７
【補正方法】削除
【補正の内容】
【手続補正１９】
【補正対象書類名】明細書
【補正対象項目名】０１３８
【補正方法】削除
【補正の内容】
【手続補正２０】
【補正対象書類名】明細書
【補正対象項目名】０１３９
【補正方法】削除
【補正の内容】
【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【請求項１】
細長な挿入部の先端側に流体圧アクチュエータによる湾曲部を設けた内視鏡において、
湾曲方向に対応する複数の流体室を構成する透孔を備えた柔軟なマルチルーメンチューブと、
このマルチルーメンチューブの外周面に配置される薄肉チューブと、
この薄肉チューブの外周面との間に隙間部を形成するように配置されるコイルと、
を具備することを特徴とする内視鏡。
【請求項２】
前記薄肉チューブが配置される前記マルチルーメンチューブの両端部に口金を設け、前記コイルが前記口金の外周面に配置されることを特徴とする請求項１に記載の内視鏡。
【請求項３】
前記コイルは、自然長よりも圧縮して前記口金の外周面に配置されることを特徴とする請求項２に記載の内視鏡。
【請求項４】
前記マルチルーメンチューブは、前記薄肉チューブとの間に空間部を形成するための空間形成手段を備えることを特徴とする請求項１から３のいずれか一に記載の内視鏡。
【請求項５】
前記空間形成手段は、前記マルチルーメンチューブの外表面に設ける凸部であることを特徴とする請求項４に記載の内視鏡。
【請求項６】
前記コイルの外周面に金属製網管からなる湾曲カバーを設け、前記コイルと前記湾曲カバーとの間に隙間部を設けることを特徴とする請求項１から５のいずれか一に記載の内視鏡。
【手続補正２】
【補正対象書類名】明細書
【補正対象項目名】００４６
【補正方法】変更
【補正の内容】
【００４６】
したがって、前記内視鏡側コネクタ２ｄとドラム側コネクタ２８とが連結された状態で、前記リモコン８に設けられているジョイスティック８ａを適宜操作することによって、前記ガスボンベ１４内の気体を前記ボンベ管路３４、コントロール側チューブ３５ａ、３５ｂ、３５ｃ、３５ｄ、バルブユニット３１、流体供給管路３３ａ、３３ｂ、３３ｃ、３３ｄ、挿入部側チューブ６２ａ、６２ｂ、６２ｃ、６２ｄ等を介して前記透孔６１ａ、６１ｂ、６１ｃ、６１ｄで形成される流体室内へ送り込んで、前記湾曲部２ｂを所望するように湾曲動作させるようになっている。
ここで、図９ないし図１６を参照して挿入部２の構成を説明する。
まず、図９（ａ）ないし図１１を参照して湾曲部２ｂを構成する流体圧アクチュエータ６０の構成を説明する。
図９（ａ）ないし図９（ｉ）に示すように流体圧アクチュエータ６０は、柔軟なシリコン材で形成した断面形状が略円形状で流体室を構成する４つの透孔６１ａ、６１ｂ、６１ｃ、６１ｄを有するマルチルーメンチューブ６１と、内側管状部材である例えばステンレス製の第１コイルである内コイル６３及び前記内コイル６３の外周側に被覆配置されて前記マルチルーメンチューブ６１が内コイル６３の線間に挟み込まれて破損することを防止する例えばフッ素製の薄肉チューブで形成された内側薄肉チューブ（以下、内チューブと略記する）６７と、外側管状部材である前記マルチルーメンチューブ６１の先端部を被覆する前口金６４、前記マルチルーメンチューブ６１の基端部を被覆する後口金６５、前記マルチルーメンチューブ６１の外周側を被覆する例えばステンレス製の第２コイルである外コイル６６及び前記マルチルーメンチューブ６１の外周側に被覆配置されてこのマルチルーメンチューブ６１が外コイル６６の線間に挟み込まれて破損することを防止する例えばフッ素製の薄肉チューブで形成された外側薄肉チューブ（以下、外チューブと略記する）６８と、排気手段となる例えば管状の金属部材で形成した排気チューブ６９とで主に構成されている。
【手続補正書】
【提出日】平成18年4月3日(2006.4.3)
【手続補正１】
【補正対象書類名】明細書
【補正対象項目名】特許請求の範囲
【補正方法】変更
【補正の内容】
【特許請求の範囲】 
【請求項１】  シリンダヘッドにカムシャフトを設け、前記シリンダヘッドの端部に前記カムシャフトに設けられた可変バルブタイミング機構を設け、この可変バルブタイミング機構を覆う覆い部材を設け、可変バルブタイミングを作動させるためのオイルを制御可能なオイル制御弁を前記覆い部材に設け、オイル制御弁と前記可変バルブタイミング機構とを、前記覆い部材に設けられた第１のオイル通路と、前記シリンダヘッドに設けられたカムシャフトに連通する第２のオイル通路とで連絡した可変バルブタイミング機構を備えた内燃機関の潤滑構造において、前記第１のオイル通路と第２のオイル通路との接続部に、メタルガスケットを設けたことを特徴とする可変バルブタイミング機構を備えた内燃機関の潤滑構造。
【請求項２】  前記メタルガスケットは、第１のオイル通路、あるいは第２のオイル通路のいずれか一方の通路内に突出した爪部を備えていることを特徴とする請求項１に記載の可変バルブタイミング機構を備えた内燃機関の潤滑構造。
【請求項３】  前記メタルガスケットは、組付された状態において、第１のオイル通路と第２のオイル通路との周囲を囲むように形成されたビード部を備えていることを特徴とする請求項１に記載の可変バルブタイミング機構を備えた内燃機関の潤滑構造。
【請求項４】  前記メタルガスケットに前記シリンダヘッド又は前記覆い部材への組付時の位置決め用のツメ部を設けるとともに、このツメ部が前記第１のオイル通路と前記第２のオイル通路の最長距離部位を挟む状態で前記メタルガスケットに配置されていることを特徴とする請求項１または３に記載の可変バルブタイミング機構を備えた内燃機関の潤滑構造。
【手続補正２】
【補正対象書類名】明細書
【補正対象項目名】００３４
【補正方法】変更
【補正の内容】
【００３４】 
【課題を解決するための手段】 
そこで、この発明は、上述不都合を除去するために、シリンダヘッドにカムシャフトを設け、前記シリンダヘッドの端部に前記カムシャフトに設けられた可変バルブタイミング機構を設け、この可変バルブタイミング機構を覆う覆い部材を設け、可変バルブタイミングを作動させるためのオイルを制御可能なオイル制御弁を前記覆い部材に設け、オイル制御弁と前記可変バルブタイミング機構とを、前記覆い部材に設けられた第１のオイル通路と、前記シリンダヘッドに設けられたカムシャフトに連通する第２のオイル通路とで連絡した可変バルブタイミング機構を備えた内燃機関の潤滑構造において、前記第１のオイル通路と第２のオイル通路との接続部に、メタルガスケットを設けたことを特徴とする。
【手続補正３】
【補正対象書類名】明細書
【補正対象項目名】００８９
【補正方法】変更
【補正の内容】
【００８９】 
【発明の効果】 
以上詳細に説明した如くこの本発明によれば、シリンダヘッドと、このシリンダヘッドの端部を覆う覆い部材との両方に設けられたシリンダヘッド側ボス部及び覆い部材側ボス部を小型化することができ、シリンダヘッド及び覆い部材の軽量化が可能となり、実用上有利である。
【手続補正４】
【補正対象書類名】図面
【補正対象項目名】図８
【補正方法】変更
【補正の内容】
【図８】
2003003817.tif 000001
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
第１及び第２の発光ダイオードと、  前記第１の発光ダイオードへの入力信号を補正して前記第２の発光ダイオードへの入力信号を生成し、前記第２の発光ダイオードにおける第２の電流波形を前記第１の発光ダイオードにおける第１の電流波形に対して相補的なものとする補正回路と、  前記第１及び第２の発光ダイオードの発光を検出する少なくとも一つのフォトダイオードとを含む、フォトカプラ装置。
【請求項２】
前記補正回路が、前記第２の発光ダイオードに提供される前記第２の波形を、前記第１の発光ダイオードへの前記第１の波形に対して出力振幅の小さい相似形となるように決定する、請求項１に記載のフォトカプラ装置。
【請求項３】
前記補正回路が、前記第１及び／又は第２の波形の交流成分を所定のゲインで増幅するよう動作する、請求項２に記載のフォトカプラ装置。
【請求項４】
前記第１及び第２の発光ダイオードが、一側で接地接続される、請求項１に記載のフォトカプラ装置。
【請求項５】
前記フォトダイオードが、前記第１及び第２の発光ダイオードにそれぞれ対応する別個の第１及び第２のフォトダイオードからなり、前記第１及び第２のフォトダイオードがそれぞれ、前記第１及び第２の発光ダイオードから放出された光を受光する、請求項１に記載のフォトカプラ装置。
【請求項６】
前記第１及び第２のフォトダイオードがそれぞれ、第１及び第２の検出信号を生成し、前記第１及び第２の検出信号が足し合わされて出力されるようになっている、請求項５に記載のフォトカプラ装置。
【請求項７】
前記第１の発光ダイオードと前記第１のフォトダイオードが、第１のＩＣパッケージ化されたフォトカプラを構成し、前記第２の発光ダイオードと前記第２のフォトダイオードが、第２のＩＣパッケージ化されたフォトカプラを構成する、請求項５に記載のフォトカプラ装置。
【請求項８】
前記フォトダイオードが、前記第１及び第２の発光ダイオードからの発光を合わせて同時に受光する、請求項１に記載のフォトカプラ装置。
【請求項９】
前記補正回路、前記第１及び第２の発光ダイオード、及び前記フォトダイオードが、単一のＩＣパッケージを構成する、請求項１に記載のフォトカプラ装置。